(57)【要約】【課題】文字盤に対してより立体感を強調することが可能な加飾部を備えた指針計器を提供する。【解決手段】指針計器１は、第１表示意匠２１が形成された文字盤２と、文字盤２の目視側前面に沿って回動する指針４と、文字盤２において第１表示意匠２１の外枠の形状で形成された透光部２４と、文字盤２の背後に配設された光源６４と、透光部２４の背後に配設され且つ光源６４の発する光を透光部２４を通して目視側へ反射する反射部３１とを備え、光源６４の発する光を反射することによって発光表示する反射部３１を、文字盤２を加飾する加飾部として透光部２４を通して目視させるように構成される。これにより、文字盤に対してより立体感を強調することが可能な加飾部を備えた指針計器を提供できる。【選択図】図２
2008002996.tif 000002
【特許請求の範囲】
【請求項１】
第１表示意匠が形成された文字盤と、
前記文字盤の目視側前面に沿って回動する指針と、
前記文字盤において前記第１表示意匠の外枠の形状で形成された透光部と、
前記文字盤の背後に配設された光源と、
前記透光部の背後に配設され、且つ、前記光源の発する光を前記透光部を通して目視側へ反射する反射部とを備え、
前記光源の発する光を反射することによって発光表示する前記反射部を、前記文字盤を加飾する加飾部として前記透光部を通して目視させるように構成されていることを特徴とする指針計器。
【請求項２】
前記透光部に第２表示意匠が形成されていることを特徴とする請求項１に記載の指針計器。
【請求項３】
前記反射部は、凹面形状で形成された反射面として形成されていることを特徴とする請求項１または請求項２に記載の指針計器。
【請求項４】
前記反射部は、金属調の反射面として形成されていることを特徴とする請求項１ないし請求項３のいずれか一項に記載の指針計器。
【請求項５】
前記文字盤の背後に配設され、且つ、前記光源が実装された配線基板を備え、
前記反射部は、前記配線基板の背後側に配置されていることを特徴とする請求項１ないし請求項４のいずれか一項に記載の指針計器。
【請求項６】
前記光源は、前記配線基板の背面に実装されていることを特徴とする請求項５に記載の指針計器。
【発明の詳細な説明】
【技術分野】
【０００１】
本発明は、表示意匠の外枠の形状で形成された加飾部を備えた指針計器に関するものである。
【背景技術】
【０００２】
近年、車両用の指針計器において、様々な方法が見映えのある斬新な表示をするために提案され、その一つとして、加飾リングが文字盤において表示意匠の外枠の形状で形成された指針計器が知られている。
【０００３】
例えば、反射面が形成された加飾リングを備えた指針計器が開示されている（特許文献１を参照）。加飾リングの反射面は、指針を発光させる光源の漏れ光を目視側へ反射させることによって、加飾リングを発光表示させるものである。これにより、加飾リングが文字盤を加飾する機能を高めようとするものである。
【特許文献１】特開２００３−２２２５３９号公報
【発明の開示】
【発明が解決しようとする課題】
【０００４】
特許文献１では、加飾リングの反射面が、指針を発光させる光源の漏れ光を反射することによって発光表示するが、発光表示する反射面による立体感は、文字盤に対して加飾リングの厚さ分しか得られない。このため、加飾リングの加飾機能を充分に高めることができない。
【０００５】
この問題は、加飾リングに限るものではなく、表示意匠の外枠の形状で形成された加飾部に共通する問題である。
【０００６】
本発明は、上記点に鑑みてなされたものであり、文字盤に対してより立体感を強調することが可能な加飾部を備えた指針計器を提供することを目的とする。
【課題を解決するための手段】
【０００７】
本発明は上記目的を達成するため、以下の技術的手段を採用する。
【０００８】
請求項１に記載の指針計器は、第１表示意匠が形成された文字盤と、文字盤の目視側前面に沿って回動する指針と、文字盤において第１表示意匠の外枠の形状で形成された透光部と、文字盤の背後に配設された光源と、透光部の背後に配設され且つ光源の発する光を透光部を通して目視側へ反射する反射部とを備え、光源の発する光を反射することによって発光表示する反射部を、文字盤を加飾する加飾部として透光部を通して目視させるように構成されていることを特徴とする。
【０００９】
この構成では、反射部が、文字盤において第１表示意匠の外枠の形状で形成された透光部の背後に配設され、光源の発する光を反射することによって発光表示する反射部を、透光部を通して加飾部として目視させる。これにより、加飾部の文字盤に対する奥行き感を、発光表示する反射部の文字盤に対する奥行き感として、透光部と反射部の距離分だけ強調できる。
【００１０】
ここで、透光部と反射部の距離を大きくとることが可能なため、反射部の文字盤に対する立体感をより強調することが可能であり、且つ、反射部が発光表示するため、この立体感をより強調することが可能となる。この結果、文字盤に対してより立体感を強調することが可能な加飾部を備えた指針計器を提供できる。
【００１１】
請求項２に記載の指針計器は、透光部に第２表示意匠が形成されていることを特徴とする。
【００１２】
これにより、第２表示意匠が、透光部において発光表示する反射部と重なって目視される。このため、第２表示意匠の反射部に対する浮き出し感と、反射部の文字盤に対する奥行き感が重なり、立体感がより強調される。このため、加飾部として目視させる反射部の文字盤に対する立体感をより強調できる。
【００１３】
請求項３に記載の指針計器は、反射部が、凹面形状で形成された反射面として形成されていることを特徴とする。
【００１４】
これにより、反射部からの反射光が反射部の凹面鏡的な効果によって集光される。このため、透光部において、反射部からの反射光の輝度が高い部位とその周囲で低い部位が生じる。即ち、透光部を通して目視される反射部において、輝度が高い部位の周囲でその輝度が低くなるハレーションが生じる。この結果、加飾部として目視させる反射部によって文字盤を加飾する機能を高めることができる。
【００１５】
請求項４に記載の指針計器は、反射部が、金属調の反射面として形成されていることを特徴とする。
【００１６】
これにより、透光部において、反射部からの反射光に金属調特有のクリスタル感が加わり、この結果、加飾部として目視させる反射部によって文字盤を加飾する機能を高めることができる。
【００１７】
請求項５に記載の指針計器は、文字盤の背後に配設され且つ光源が実装された配線基板を備え、反射部が、配線基板の背後側に配置されていることを特徴とする。
【００１８】
これにより、透光部と反射部の距離をより大きくとることができるため、加飾部の文字盤に対する奥行き感を、反射部の文字盤に対する奥行き感としてより強調できる。このため、加飾部として目視させる反射部の文字盤に対する立体感をより強調できる。
【００１９】
請求項６に記載の指針計器は、光源が、配線基板の背面に実装されていることを特徴とする。
【００２０】
これにより、光源は、新たに導光手段を設けないで、配線基板の背後側に配置されている反射部に対して光源の光を直接に導光できる。導光手段を設けて光源の光を導光する場合、この導光される光は、一般に導光手段で減衰する。これに対して、導光手段が不要な構成であるため導光手段による減衰がなく、このため、反射部の発光表示の輝度を低減させないで、請求項５に記載の指針計器における効果をより高めることができる。
【発明を実施するための最良の形態】
【００２１】
以下、本発明による指針計器を、自動車に搭載されるコンビネーションメータ１に適用した場合を例に図面に基づいて説明する。
【００２２】
（構成）
図１は、本発明の一実施形態による指針計器であるコンビネーションメータ１の正面図である。
【００２３】
図２は、図１中のＩＩ−ＩＩ線断面図である。
【００２４】
図３は、図２中のＩＩＩ部の拡大断面図である。
【００２５】
図４は、本発明の一実施形態によるコンビネーションメータ１の電気回路構成を説明する回路構成図である。
【００２６】
指針計器であるコンビネーションメータ１は、自動車の運転席前方に配置されて当該自動車に関する各種情報を表示する。本発明の一実施形態によるコンビネーションメータ１は、図１に示すように、走行速度を表示する速度計を構成し、インスツルメントパネル１４において運転者に対向する位置に配置される。
【００２７】
コンビネーションメータ１は、文字盤２と指針４とを備え、文字盤２は、基板２０（図２と図３）と、第１表示意匠である文字（数字を含む）２１と、第２表示意匠である目盛２２とを備える。基板２０は、透光性を有する材料、例えば透明なポリカーボネート樹脂等の板材から形成される。
【００２８】
例えば黒色で不透光状態の背景層２３を、基板２０の目視側の面、即ち、図２と図３において左側の面に形成し、文字２１を背景層２３の開口として形成する。尚、例えば白色の透光層を背景層２３の開口内に形成し、文字２１を、開口内の透光層として形成することも可能である。
【００２９】
文字盤２において文字２１の外枠の形状であるリング形状を有する透光部２４を、図１において、背景層２３を文字２１の外周側に形成しないことによって設ける。また、例えば白色で光を反射する性質を有する目盛２２を、透光部２４の背面、即ち、図２と図３において右側の面に形成する。目盛２２と背景層２３は、スクリーン印刷やホットスタンプ等により形成される。
【００３０】
発光ダイオード６１，６２、光源である発光ダイオード６４、照明ケース７１および配線基板であるプリント基板９１が、文字盤２の背後に、即ち、図２において右側に配置される。プリント基板９１は、コンビネーションメータ１の電気回路部を構成するものであり、発光ダイオード６１，６２、６４は、プリント基板９１に実装される。尚、発光ダイオード６４は、プリント基板９１の背面（図２において右側の面）に実装される。
【００３１】
貫通孔２５が文字盤２の略中央部に設けられ、ムーブメント５によって回動するシャフト５１が、貫通孔２５に挿通される。シャフト５１は、文字盤２の貫通孔２５を通して文字盤２の目視側（図２において左側）へ延出し、指針４が、シャフト５１の先端に固定される。指針４は、シャフト５１により、文字盤２の目視側前面（図２において左側の面）に沿って回動する。
【００３２】
ムーブメント５は、たとえば交差コイル式ムーブメント、あるいはステッピングモータ等から構成され、外部からの電気信号（本実施形態によるコンビネーションメータ１においては車速信号）に対応した角度だけシャフト５１を回動させるものである。ムーブメント５は、プリント基板９１に実装固定される。
【００３３】
反射部である反射面３１は、透光部２４の背後（図２において右側）であってプリント基板９１の背後側（図２において右側）において、リング形状を有する透光部２４に沿ったリング形状で且つ凹面形状で形成される。反射面３１は、発光ダイオード６４の発する光を透光部２４を通して目視側（図２において左側）へ反射するものであり、リング形状で形成された加飾リング３上に形成される。反射面３１は、アルミニウムの薄膜が形成された金属調の反射面として形成される。加飾リング３は、アクリロニトリル・ブタジエン・スチレン（ＡＢＳ）樹脂等から形成され、ロアケース１３に固定される。
【００３４】
照明ケース７１は、発光ダイオード６１の光を指針４へ導き、発光ダイオード６２の光を文字盤２の文字２１へ導き、反射面３１で反射した発光ダイオード６４の光を文字盤２の透光部２４へ導くように構成される。
【００３５】
文字盤２の外周側から光を入射させる発光ダイオード６３を、図１と図２に示すように、文字盤２の外周側に配置する。発光ダイオード６３は、プリント基板９２に実装固定され、照明ケース７２は、発光ダイオード６３の光を文字盤２の目盛２２へ導くように構成される。尚、プリント基板９１とプリント基板９２は、図示しない配線によって電気的に接続される。
【００３６】
プリント基板９１には、ムーブメント５を駆動し、発光ダイオード６１−６４を点燈・消燈する制御装置１０（図４）が実装される。制御装置１０は、マイクロコンピュータ等から構成され、発光ダイオード６１−６４を周囲が暗いとき（コンビネーションメータ１へ入射する外来光の入射量が少ないとき）のみ点燈するように構成される。具体的に、制御装置１０は、当該自動車のスモールランプ（テールランプ）を点燈させるスモールランプ点燈スイッチ１６（図４）をオンした際に発光ダイオード６１−６４を点燈するように構成される。
【００３７】
文字盤２や指針４を保護する透明カバー１１とアッパケース１２とロアケース１３は、発光ダイオード６３と照明ケース７２とプリント基板９２を除くコンビネーションメータ１を収納する筐体を形成する。
【００３８】
以上説明した本実施形態によるコンビネーションメータ１の電気回路構成について、図４に基づいて説明する。
【００３９】
マイクロコンピュータ等から構成される制御装置１０には、バッテリ１８から電力が常時供給され、イグニッションスイッチ１７とスモールランプ点燈スイッチ１６が、それらの操作ポジション（オフポジション、オンポジション）を検出可能に接続される。また、制御装置１０には当該自動車の走行速度を検出する車速センサ１５がその信号を入力可能に接続される。
【００４０】
また、車速センサ１５からの検出信号に応じて制御装置１０によって駆動されるムーブメント５、発光ダイオード６１−６４も、制御装置１０に接続される。
【００４１】
以下、上記構成において、本実施形態によるコンビネーションメータ１の作動を説明する。
【００４２】
（作動）
運転者によってイグニッションスイッチ１７がオンされると、図４において、制御装置１０は、それを検出して作動を開始し、ムーブメント５を駆動する。即ち、制御装置１０は、速度センサ１５からの出力信号に基づき、当該自動車の車速を算出し、これに対応した角度だけシャフト５１を回動させるように、ムーブメント５を駆動する。
【００４３】
また、周囲が暗くなると（コンビネーションメータ１へ入射する外来光の入射量が少なくなると）、運転者は、スモールランプ点燈スイッチ１６をオンして当該自動車のスモールランプを点燈する。制御装置１０は、それを検出して発光ダイオード６１−６４を点燈する。以下、コンビネーションメータ１の目視状態を反射面３１を中心として、発光ダイオード６１−６４の点燈時と消燈時に分けて説明する。
【００４４】
（１）発光ダイオード６１−６４の消燈時
外来光が、図３において、透光部２４を通して反射面３１へ入射し、反射面３１が、この入射光を目視側（図３において左側）へ反射する。これにより、反射面３１が、透光部２４を通して文字盤２を加飾する加飾部として目視される。反射面３１は、文字盤２の透光部２４より背後側に配置されているプリント基板９１よりさらに背後側に配置されている。このため、反射面３１の文字盤２に対する奥行き感が、透光部２４と反射面３１の距離分だけ強調され、反射面３１は、文字盤２に対して立体感をより強調された加飾部として目視される。
【００４５】
ここで、透光部２４と反射面３１の距離を大きくとることが可能なため、文字盤２に対して発光表示する反射面３１の立体感をより強調できる。
【００４６】
また、目盛２２が、透光部２４において反射面３１と重なって目視される。このため、目盛２２の反射面３１に対する浮き出し感と、反射面３１の文字盤２に対する奥行き感が重なり、反射面３１の文字盤２に対する立体感がより強調される。
【００４７】
（２）発光ダイオード６１−６４の点燈時
点燈した発光ダイオード６１の光は、図２において、照明ケース７１に導かれ、指針４を発光表示させる。また、点燈した発光ダイオード６２の光は、照明ケース７１に導かれ、文字盤２の文字２１を透過照明する。
【００４８】
点燈した発光ダイオード６４の光は、図２と図３に示すように、光路Ｐ１に従って、反射面３１によって透光部２４を通して目視側へ反射する。具体的に、発光ダイオード６４の光は、反射面３１によって反射し、この反射光は、照明ケース７１によって透光部２４へ導かれ、透光部２４を通して目視側（図２と図３において左側）へ到達する。
【００４９】
これにより、発光ダイオード６４の発する光を反射することによって発光表示する反射面３１は、文字盤２を加飾する加飾部として透光部２４を通して目視される。このため、発光表示する反射面３１の文字盤２に対する奥行き感が、透光部２４と反射面３１の距離分だけ強調される。
【００５０】
ここで、透光部２４と反射面３１の距離を大きくとることが可能なため、反射面３１の文字盤２に対する立体感をより強調することが可能であり、且つ、反射面３１が発光表示するため、この立体感をより強調することが可能となる。
【００５１】
また、反射面３１が凹面形状で形成されているため、反射面３１からの反射光が反射面３１の凹面鏡的な効果によって集光される。このため、透光部２４において、反射面３１からの反射光の輝度が高い部位とその周囲で低い部位が生じる。即ち、透光部２４を通して目視される反射面３１において、輝度が高い部位の周囲でその輝度が低くなるハレーションが生じる。この結果、加飾部として目視させる反射面３１によって文字盤２を加飾する機能を高めることができる。
【００５２】
また、反射面３１が金属調の反射面３１として形成されているため、透光部２４において、反射面３１からの反射光に金属調特有のクリスタル感が加わり、この結果、加飾部として目視させる反射面３１によって文字盤２を加飾する機能を高めることができる。
【００５３】
また、発光ダイオード６４をプリント基板９１の背面に実装しているため、新たに導光手段を設けないで、プリント基板９１の背後側に配置されている反射面３１に対して発光ダイオード６４の光を直接に導光できる。導光手段を設けて光源の光を導光する場合、この導光される光は、一般に導光手段で減衰する。これに対して、導光手段が不要な構成であるため、導光手段による減衰がなく、このため、反射面３１の発光表示の輝度を低減させないで、反射面３１の立体感を強調できる。
【００５４】
一方、点燈した発光ダイオード６３の光は、図２と図３に示すように、光路Ｐ２に従って照明ケース７２に導かれて透光部２４へ入射し、この入射光が、目盛２２によって目視側（図２と図３において左側）へ反射する。これにより、発光表示する目盛２２が、透光部２４において発光表示する反射面３１と重なって目視される。このため、発光表示する目盛２２の発光表示する反射面３１に対する浮き出し感と、発光表示する反射面３１の文字盤２に対する奥行き感が重なり、加飾部として目視させる反射面３１の文字盤２に対する立体感をより強調できる。
【００５５】
尚、本発明において、発光ダイオード６１−６４の点燈・消燈を、スモールランプ点燈スイッチ１６のオン・オフに連動させる必要はない。即ち、本発明は、発光ダイオード６１−６４を、イグニッションスイッチ１７をオンすることによって点燈する自発光タイプのコンビネーションメータ１にも適用することができる。
【００５６】
また、反射面３１を凹面形状で形成する必要はなく、発光ダイオード６４の発する光を透光部２４を通して目視側へ反射する形状である限り、例えば、傾斜した平面形状で形成することも可能である。
【００５７】
また、反射面３１を金属調の反射面３１として形成する必要はなく、背景層２３の色調（色相、明度、彩度の少なくとも一つ）と異なる色調を有する反射面３１として形成することも可能である。
【００５８】
（変形例）
図５は、図２の第１変形例を示す断面図である。
【００５９】
第１変形例では、図５に示すように、加飾リング３を設けないで、反射面３１を加飾リング３でなくてロアケース１３に形成する。また、反射面３１を、文字盤２とプリント基板９１の間に配置しているため、発光ダイオード６４をプリント基板９１の目視側の面（図５において左側の面）に実装する。
【００６０】
これにより、点燈した発光ダイオード６４の光は、図５に示すように、光路Ｐ１に従って、反射面３１によって透光部２４を通して目視側へ反射する。具体的に、発光ダイオード６４の光は、照明ケース７１で反射して反射面３１へ導かれ、反射面３１によって反射する。この反射光は、照明ケース７１によって透光部２４へ導かれ、透光部２４を通して目視側（図５において左側）へ到達する。
【００６１】
一方、点燈した発光ダイオード６３の光は、図５に示すように、光路Ｐ２に従って照明ケース７２に導かれて透光部２４へ入射し、この入射光が、目盛２２によって目視側（図５において左側）へ反射する。
【００６２】
これらの結果、上述の効果と同様の効果を得ることができる。
【００６３】
図６は、図２の第２変形例を示す断面図である。
【００６４】
第２変形例では、図６に示すように、透明なアクリル樹脂等から形成された導光リング３を、加飾リング３の代わりに設け、反射面３１を導光リング３に形成する。また、反射面３１を、文字盤２とプリント基板９１の間に配置しているため、発光ダイオード６４をプリント基板９１の目視側の面（図６において左側の面）に実装する。
【００６５】
これにより、点燈した発光ダイオード６４の光は、図６に示すように、光路Ｐ１に従って、反射面３１によって透光部２４を通して目視側へ反射する。具体的に、発光ダイオード６４の光は、導光リング３に導入され、この導入光が反射面３１へ導かれ、反射面３１によって反射する。この反射光は、導光リング３を通して透光部２４へ導かれ、透光部２４を通して目視側（図６において左側）へ到達する。
【００６６】
一方、点燈した発光ダイオード６３の光は、図６に示すように、光路Ｐ２に従って照明ケース７２に導かれて透光部２４へ入射し、この入射光が、目盛２２によって目視側（図６において左側）へ反射する。
【００６７】
これらの結果、上述の効果と同様の効果を得ることができる。
【００６８】
図７は、図１の変形例を示す正面図である。
【００６９】
本変形例では、図７に示すように、透光部２４をリング形状でなくて「Ｃ」の字を９０度右側へ回転させた形状で形成する。これに伴ない、反射面３１も、透光部２４に沿った形状で形成する。これにより、上述の効果と同様の効果を得ることができる。
【００７０】
尚、透光部２４は、第１表示意匠である文字２１の外枠の形状である限り、上述した形状以外の形状で形成することができる。
【００７１】
また、発光ダイオード６４を、例えば青色の光を発する発光ダイオードと赤色の光を発する発光ダイオードとから構成し、当該自動車の走行速度が制限速度を超えた場合に、発光ダイオード６４からの光を青色から赤色に切り替えるように構成することも可能である。
【００７２】
以上説明した本発明による指針計器であるコンビネーションメータ１は、第１表示意匠である文字２１が形成された文字盤２と、文字盤２の目視側前面に沿って回動する指針４と、文字盤２において文字２１の外枠の形状で形成された透光部２４と、文字盤２の背後に配設された光源である発光ダイオード６４と、透光部２４の背後に配設され且つ発光ダイオード６４の発する光を透光部２４を通して目視側へ反射する反射部である反射面３１とを備え、発光ダイオード６４の発する光を反射することによって発光表示する反射面３１を、文字盤２を加飾する加飾部として透光部２４を通して目視させるように構成される。
【００７３】
これにより、文字盤に対してより立体感を強調することが可能な加飾部を備えた指針計器を提供できる。
【００７４】
尚、本発明は、上述の例に限らず、これらの組み合わせや、他の種々の変形例が考えられる。
【図面の簡単な説明】
【００７５】
【図１】図１は、本発明の一実施形態による指針計器であるコンビネーションメータ１の正面図である。
【図２】図２は、図１中のＩＩ−ＩＩ線断面図である。
【図３】図３は、図２中のＩＩＩ部の拡大断面図である。
【図４】図４は、本発明の一実施形態によるコンビネーションメータ１の電気回路構成を説明する回路構成図である。
【図５】図５は、図２の第１変形例を示す断面図である。
【図６】図６は、図２の第２変形例を示す断面図である。
【図７】図７は、図１の変形例を示す正面図である。
【符号の説明】
【００７６】
１  コンビネーションメータ（指針計器）、２  文字盤、２０  基板
２１  文字（第１表示意匠）、２２  目盛（第２表示意匠）、２３  背景層
２４  透光部、２５  貫通孔、３  加飾リング（導光リング）、３１  反射面（反射部）
４  指針、５  ムーブメント、５１  シャフト、６１−６３  発光ダイオード
６４  発光ダイオード（光源）、７１，７２  照明ケース
９１  プリント基板（配線基板）、９２  プリント基板、１０  制御装置
１１  透明カバー、１２  アッパケース、１３  ロアケース
１４  インスツルメントパネル、１５  速度センサ
１６  スモールランプ点燈スイッチ、１７  イグニッションスイッチ、１８  バッテリ
【図１】
2008002996.tif 000003
【図２】
2008002996.tif 000004
【図３】
2008002996.tif 000005
【図４】
2008002996.tif 000006
【図５】
2008002996.tif 000007
【図６】
2008002996.tif 000008
【図７】
2008002996.tif 000009